(57)【要約】【課題】ランニングコストを低く抑えながら冬期でも床下収納室を野菜等を収納する恒温収納室として利用できる、建物における床下恒温収納システムを提供する。【解決手段】断熱基礎１を採用する建物の床下空間部３に床下収納室４が設けられ、外気で氷２０をつくって収容する製氷機５が備えられている。更に、製氷機５と床下収納室４とをつなぐダクト１５、製氷機５から床下収納室４への冷気の送込みを行う冷気送込み作動手段１１，１８、床下収納室４内の温度を検知する温度センサー２１、制御手段２２が備えられ、温度センサー２２の検知した床下収納室４内の温度が設定恒温温度を越えて高いとき、製氷機５からの冷気がダクト１５を通じて床下収納室４内に送り込まれるようになされている。【選択図】　　　図１
2004125192.tif 000002
【特許請求の範囲】
【請求項１】
屋外に対して断熱の床下空間部に設けられた床下収納室と、
氷を収容する蓄冷手段と、
蓄冷手段と床下収納室とをつなぐ冷気送込み通路と、
蓄冷手段から床下収納室への冷気の送込みを行う冷気送込み作動手段と、
床下収納室内の温度を検知する温度センサーと、
該温度センサーの検知した床下収納室内の温度が設定恒温温度を越えて高いとき、蓄冷手段からの冷気が冷気送込み通路を通じて床下収納室内に送り込まれるよう冷気送込み作動手段を制御する制御手段と
が備えられていることを特徴とする、建物における床下恒温収納システム。
【請求項２】
前記蓄冷手段が製氷機からなり、該製氷機は、製氷室と、製氷室に設置された水収容部と、製氷室に外気を取り入れる外気取入れ口と、外気取入れ口を通じて製氷室に外気を送り込む外気送込み作動手段とを備え、外気取入れ口から取り入れた外気で水収容部の水を凍らせて製氷するようになされたものからなり、
前記冷気送込み通路が製氷室と床下収納室とをつないでいる請求項１に記載の、建物における床下恒温収納システム。
【請求項３】
屋外に対して断熱の床下空間部に設けられた床下収納室と、
雪を収容する蓄冷手段と、
蓄冷手段と床下収納室とをつなぐ冷気送込み通路と、
蓄冷手段から床下収納室への冷気の送込みを行う冷気送込み作動手段と、
床下収納室内の温度を検知する温度センサーと、
該温度センサーの検知した床下収納室内の温度が設定恒温温度を越えて高いとき、蓄冷手段からの冷気が冷気送込み通路を通じて床下収納室内に送り込まれるよう冷気送込み作動手段を制御する制御手段と
が備えられていることを特徴とする、建物における床下恒温収納システム。
【発明の詳細な説明】
【０００１】
【従来の技術】
本発明は、断熱基礎等を採用する建物における床下恒温収納システムに関する。
【０００２】
【従来の技術及び課題】
北海道等の寒冷地では、住宅用等の建物に断熱基礎を採用するものが増えているが、例えばこのような断熱基礎などを採用する建物では、床下空間部と屋外との間が断熱基礎によって断熱されるため、床下空間部が屋内の温度環境と同じかあるいはそれに近い状態となり、そのため、床下に収納室を設けても、冬期の暖房によって床下収納室内の温度が高くなり、床下収納室をジャガイモやタマネギ、キャベツ、ハクサイ等の野菜を収納する恒温収納室として利用することができないという問題がある。
【０００３】
本発明は、上記の問題点に鑑み、屋外に対して断熱の床下空間部を備えた建物において、ランニングコストを低く抑えながら冬期でも床下収納室を恒温収納室として利用することができる、建物における床下恒温収納システムを提供することを課題とする。
【０００４】
【課題を解決するための手段】
上記課題は、屋外に対して断熱の床下空間部に設けられた床下収納室と、
氷を収容する蓄冷手段と、
蓄冷手段と床下収納室とをつなぐ冷気送込み通路と、
蓄冷手段から床下収納室への冷気の送込みを行う冷気送込み作動手段と、
床下収納室内の温度を検知する温度センサーと、
該温度センサーの検知した床下収納室内の温度が設定恒温温度を越えて高いとき、蓄冷手段からの冷気が冷気送込み通路を通じて床下収納室内に送り込まれるよう冷気送込み作動手段を制御する制御手段と
が備えられていることを特徴とする、建物における床下恒温収納システムによって解決される。
【０００５】
このシステムでは、床下収納室内の温度が設定恒温温度を越えて高くなると、それを検知した温度センサーからの信号によって、床下収納室には蓄冷手段からの冷気が送り込まれるから、寒冷地において冬期に屋内を暖房していても、それに連れて床下収納室の温度が高くなってしまうということがなく、床下収納室を冬期であっても野菜等も収納できる恒温収納室として利用することができる。
【０００６】
しかも、氷を収容する蓄冷手段からの冷気を床下収納室に送り込むようにしているから、外気温度が高くなったような場合でも、床下収納室は、蓄冷手段からの冷気によって外気温度に左右されることなく恒温状態を適切に維持することができる。
【０００７】
加えて、蓄冷手段は、氷を利用して冷気を床下収納室に送り込むようになされているから、ヒートポンプなどを使用して冷気を送り込む場合に比べて、寒冷地の冬期という自然環境の利用を通じてシステムのランニングコストを低く抑えることができる。
【０００８】
もちろん、氷の冷気を利用しているから、蓄熱手段をコンパクトに構成することができる。
【０００９】
上記のシステムにおいて、蓄冷手段が製氷機からなり、該製氷機は、製氷室と、製氷室に設置された水収容部と、製氷室に外気を取り入れる外気取入れ口と、外気取入れ口を通じて製氷室に外気を送り込む外気送込み作動手段とを備え、外気取入れ口から取り入れた外気で水収容部の水を凍らせて製氷するようになされたものからなり、前記冷気送込み通路が製氷室と床下収納室とをつないでいるのもよい。
【００１０】
この場合は、蓄冷手段の氷収容部に水を入れておくだけで、寒冷地の冬期の自然環境を利用して氷がつくられるので、氷をどこかからわざわざ運んでくる必要がなく、氷の利用を容易に行うことができる。
【００１１】
また、上記の課題は、このシステムにおいて、氷を収容する蓄冷手段に替え、雪を収容する蓄冷手段を備えさせることによっても同様に解決される。のみならず、雪は、寒冷地の冬期においては入手が極めて容易であり、しかも、氷よりも単位体積当たりの質量が小さく蓄冷手段への収容も容易に行うことができる。
【００１２】
【発明の実施の形態】
次に、本発明の実施形態を図面に基づいて説明する。
【００１３】
図１に示す第１実施形態の床下恒温収納システムにおいて、１は断熱基礎で、例えば、硬質発泡ウレタンフォーム１ａを捨型枠にしてコンクリート１ｂの打込みを行ったものなどからなっている。２は床、３は床下空間部であり、床下空間部３は、断熱基礎１により屋外に対して断熱されている。この床下空間部３内の所定の位置に断熱構造の恒温床下収納室４が設けられ、物を屋内の床上から床下収納室４内に出入れできるようになされている。
【００１４】
屋外には、蓄冷手段としての製氷機５が設置されている。製氷機５は、図２に示すように、製氷室６を備え、製氷室６内には水収容部７が備えられている。
【００１５】
そして、製氷室６内に面して外気取入れ口８と排気口９とが備えられ、排気口９に接続された第１排気ダクト１０に排気ファン１１が設けられると共に、排気ファン１１と排気口９との間に第１ダンパー１２が設けられている。なお、本実施形態では、ファン１１と第１ダンパー１２が本発明における外気送込み作動手段を形成している。
【００１６】
また、製氷機５側には製氷室６内に面する冷気供給口１３が設けられると共に、床下収納室４側には、床下収納室４内に面する冷気取入れ口１４が設けられ、両口１３，１４が連通ダクト１５で連通されている。本実施形態では、この連通ダクト１５が本発明における冷気送込み通路を形成している。
【００１７】
更に、床下収納室４側には、床下収納室４内に面する排気口１６が設けられ、この排気口１６に第２排気ダクト１７が接続され、第２排気ダクト１７は第１排気ダクト１０に対して、ファン１１と第１ダンパー１２との間の位置で連通接続され、第２排気ダクト１７に第２ダンパー１８が備えられている。なお、本実施形態では、ファン１１と第２ダンパー１８が本発明における冷気送込み作動手段を形成している。
【００１８】
これにより、寒冷地において冬期に、図３（イ）に示すように、ファン１１を駆動し、第１ダンパー１２を開き位置にすると共に、第２ダンパー１８を閉じ位置にすると、製氷室６内の空気が第１排気ダクト１０を通じて外に排出され、冷えた外気が外気取入れ口８を通じて製氷室６内に引込みによって取り入れられ、外気取入れ口８から水収容部７を巡って第１排気ダクト１０に向かう冷たい外気の流れが製氷室６内に形成される。この冷たい外気の流れによって水収容部７内の水１９が凍って氷がつくられていき、蓄冷されていく。
【００１９】
図３（ロ）に示すように、こうして氷２０がつくられた後、ファン１１は駆動したまま、第２ダンパー１８を開き位置にし、第１ダンパー１２は少し開いた状態にすると、床下収納室４内の空気が第２排気ダクト１７、第１排気ダクト１０を通じて外に排出されると共に、製氷機５の製氷室６内の冷気が連通ダクト１５を通じて床下収納室４内に引込みで送り込まれ、床下収納室４内が冷気で冷やされていく。なお、第１ダンパー１２を閉じた状態にすることにより、床下収納室４内に送り込む冷気の量を多くすることができる。
【００２０】
そして、床下収納室４内を自動で恒温収納室に維持するため、床下収納室４には温度センサー２１が備えられ、温度センサー２１からの信号に基づいて制御手段２２が第１，第２のダンパー１２，１８の開閉状態の切換えを行うようになされている。
【００２１】
制御手段２２は、例えばマイコンなどを用いて構成され、床下収納室４の設定恒温温度が入力され、この設定恒温温度に基づいて次のような制御を行う。なお、寒冷地の冬期の屋外の温度は、昼間において例えば０°Ｃ、夜間において例えば−１５°Ｃ、屋内２３の温度は暖房によって例えば昼夜２０°Ｃに保たれており、そのような環境下において設定恒温温度は例えば５°Ｃに設定される。
【００２２】
即ち、制御手段２２は、図４に示すように、システムを作動させると、ファン１１を駆動し（ステップＳ１）、第１ダンパー１２を開、第２ダンパー１８を閉にし、製氷機５の製氷室６で特に夜間において製氷が活発に行われていく（ステップＳ２）。
【００２３】
そして、製氷完了後、温度センサー２１から所定の時間おきに送られてくる床下収納室４内の温度情報が設定恒温温度と比較され（ステップＳ３）、床下収納室４内の温度が設定恒温温度以下であるときは、ステップＳ２に戻って第１ダンパー１２を開、第２ダンパー１８を閉に維持して製氷運転状態を継続し、床下収納室４内の温度が設定恒温温度を越えて高いときは、第１ダンパー１２を少し開いた状態にすると共に、第２ダンパー１８を開き位置にする（ステップＳ４）。これにより、床下収納室４内は、製氷機５から送られてくる冷気によって冷やされていき、設定恒温温以下の温度に向かっていく。
【００２４】
そして、ステップＳ３で床下収納室４内の温度が設定恒温温度以下になったと判断したとき、ステップＳ２に移行し、第１ダンパー１２を開、第２ダンパー１８を閉にして、床下収納室４への冷気供給が停止されると共に、製氷機５が製氷運転状態となり、以下、ステップＳ３において判断が繰り返される。
【００２５】
このように、断熱基礎１を採用することによって床下空間部３が屋外に対して断熱の建物における上記の床下恒温収納システムでは、床下収納室４内の温度が設定恒温温度を越えて高くなると、それを検知した温度センサー２１からの信号によって、床下収納室４には、製氷機５において外気でつくられた氷２０で冷やされた冷気が送り込まれるから、寒冷地において冬期に屋内２３を暖房していてもそれに連れて床下収納室４内の温度が高くなってしまうということがなく、断熱基礎１の採用によって床下空間部３が屋外に対して断熱の建物でありながら、床下収納室４を冬期であっても野菜等も収納できる恒温収納室として利用することができる。
【００２６】
しかも、外気を床下収納室４に直接送り込むのではなく、外気で凍らせた氷２０を収容する製氷室６からの冷気を床下収納室４に送り込むようにしているから、外気温度が高くなる例えば昼間でも、床下収納室４は、製氷室６内の氷２０で冷やされた冷気によって外気温度に左右されることなく恒温状態を適切に維持することができる。
【００２７】
なお、外気の温度が製氷可能な温度であるかどうかを判断し、製氷可能な温度である場合には製氷運転を行い、製氷温度を超えて高い場合には製氷運転を停止する制御手段を備えさせるようにするのもよく、その場合には、製氷機５の蓄冷量を無駄に消費してしまうのを防ぐことができる。
【００２８】
加えて、製氷機５は、外気で凍らせた氷２０を収容し、この氷２０を利用して冷気を床下収納室４に送り込むようになされているから、ヒートポンプなどを使用して冷気を送り込む場合に比べて、寒冷地の冬期という自然環境の利用を通じてシステムのランニングコストを低く抑えることができる。もちろん、氷２０の冷気を利用しているから、製氷機５をコンパクトに構成することができる。
【００２９】
また、上記の実施形態では、蓄冷手段として外気を利用した製氷機５を採用し、製氷機５の水収容部７に水１９を入れておくだけで、寒冷地の冬期の自然環境を利用して氷２０がつくられるようになされているので、氷をどこかからわざわざ運んでくる必要がなく、氷の利用を容易に行うことができる。
【００３０】
図５に示す第２実施形態では、蓄冷手段として、雪２４を収容する雪室２５を採用している。雪室２５の上部に雪投入口２６が設けられ、そこから雪２４を投入することができるようになされている。また、雪室２５は、雪受け２７で上下の室２５ａ，２５ｂに区画され、上室２５ａを雪収容室とし、下室２５ｂを冷気取込み室とし、雪収容室２５ａと冷気取込み室２５ｂとは受け２７を介して空気の行き来を許容されるようになされている。そして、冷気取込み室２５ｂには冷気供給口２８が設けられ、この冷気供給口２８と床下収納室４とが連通ダクト２９で連通され、床下収納室４に面して開口する排気口３２には排気ダクト３０が接続され、この排気ダクト３０には排気ファン３１が接続されている。なお、本実施形態では、連通ダクト２９が本発明における冷気送込み通路を形成し、ファン３１が本発明における冷気送込み作動手段を形成している。
【００３１】
この床下恒温収納システムでは、ファン３１を駆動すると、床下収納室４内の空気が排気口３２、排気ダクト３０を通じて外に排気され、それによって、雪収容室２５ａ内に外気が取り込まれ、外気が雪２４で冷やされ、その冷気が冷気取込み室２５ｂ内に引き込まれ、更に、冷気供給口２８、連通ダクト２９、冷気取入れ口３３を通じて床下収納室４に送り込まれる。
【００３２】
制御手段２２は、床下収納室４内に設置した温度センサー２１が設定恒温温度を越えて高いときファン３１を駆動し、越えないときファン３１を停止する制御を行うようになされて、床下収納室４が自動で恒温状態に維持されるようになされている。
【００３３】
以上に、本発明の実施形態を示したが、本発明はこれに限られるものではなく、発明思想を逸脱しない範囲で、各種の変更が可能である。例えば、上記の第１実施形態では、蓄冷手段として製氷機５を採用した場合を示しているが、氷収容部を備えてはいるが製氷機能はない蓄冷手段を用いてもよい。また、床下収納室４は、野菜の収納に限られるものではなく、屋内温度よりも低い温度の恒温状態を維持する必要のある物の収納に広く用いられてよく、それに応じて設定恒温温度も種々の温度に設定されてよい。また、上記の実施形態では、断熱基礎が、断熱材を捨て型枠とした断熱コンクリート基礎である場合を示しているが、コンクリートの打込み後に断熱材を取り付けて断熱基礎としたものであってもよく、要は、基礎が床下空間部と屋外とを断熱する機能を備えているものであればよい。また、本発明は、断熱基礎１を採用する建物に限らず、マンション等の集合住宅における床下など、要は、屋外に対して断熱の床下空間部を備える建物に広く用いることができる。
【００３４】
【発明の効果】
本発明の建物における床下恒温収納システムは、以上のとおりのものであるから、ランニングコストを低く抑えながら冬期でも床下収納室を恒温収納室として利用することができる。
【図面の簡単な説明】
【図１】第１実施形態の床下恒温収納システムを示すもので、建物の要部縦断面図である。
【図２】同システムの構成図である。
【図３】システムの作動状態を示すもので、図（イ）は製氷作動状態、図（ロ）は冷気送込み作動状態を示す説明図である。
【図４】制御のフローチャート図である。
【図５】第２実施形態の床下恒温収納システムの構成図である。
【符号の説明】
３…床下空間部
４…床下収納室
５…製氷機（蓄冷手段）
６…製氷室
７…水収容部
８…外気取入れ口
１１…排気ファン（外気送込み作動手段、冷気送込み作動手段）
１２…第１ダンパー（外気送込み作動手段）
１５…連通ダクト（冷気送込み通路）
１８…第２ダンパー（冷気送込み作動手段）
２０…氷
２１…温度センサー
２２…制御手段
２４…雪
２５…雪室（蓄冷手段）
２９…連通ダクト（冷気送込み通路）
３１…ファン（冷気送込み作動手段）
【図１】
2004125192.tif 000003
【図２】
2004125192.tif 000004
【図３】
2004125192.tif 000005
【図４】
2004125192.tif 000006
【図５】
2004125192.tif 000007